(57)【要約】【課題】  簡単な構造で、部品点数を増やすことなく、容易に角軸組立てが行え、しかも、角軸の挿入のみによってがたつきを低減させるレバーハンドル軸嵌合構造を得る。【解決手段】  端部にレバーハンドル２１の取り付けられる角軸２５と、錠箱に回動自在に設けられた角穴を有するカム部材とのレバーハンドル軸嵌合構造であって、角軸２５の軸線方向に沿う少なくとも２つの側面２５ａ，２５ｂに、軸線３５に沿う方向の凹溝３７を、角軸２５の長手方向に亘って形成する。略Ｕ字状に折り曲げた線状バネ部材３３の両脚部３９ａ，３９ｂを、２つの凹溝３７に嵌入するとともに、角穴の内面に対面する線状バネ部材３３の部位には、側面２５ａ，２５ｂから突出して内面に圧接する湾曲部４１，４１を設けた。【選択図】      図１
2006070620.tif 000002
【特許請求の範囲】
【請求項１】
端部にレバーハンドルの取り付けられる角軸と、錠箱に回動自在に設けられた角穴を有するカム部材とのレバーハンドル軸嵌合構造であって、
前記角軸の軸線方向に沿う少なくとも２つの側面に、前記軸線に沿う方向の凹溝が前記角軸の長手方向に亘って形成され、
略Ｕ字状に折り曲げた線状バネ部材の両脚部が２つの前記凹溝に嵌入されるとともに、前記角穴の内面に対面する該線状バネ部材の部位に、前記側面から突出して前記内面に圧接する湾曲部が形成されたことを特徴とするレバーハンドル軸嵌合構造。
【請求項２】
前記湾曲部が、前記線状バネ部材の両脚部に設けられたことを特徴とする請求項１記載のレバーハンドル軸嵌合構造。
【請求項３】
前記凹溝が、前記角軸の軸線に沿う平行な一対の側面に設けられ、かつ前記軸線を点対称に片側の隅部に近接して片寄せられ配置されたことを特徴とする請求項１又は２記載のレバーハンドル軸嵌合構造。
【請求項４】
端部にレバーハンドルの取り付けられる角軸と、錠箱に回動自在に設けられた角穴を有するカム部材とのレバーハンドル軸嵌合構造であって、
前記角軸の軸線方向に沿う少なくとも１つの側面の前記角穴の内面に対面する部位に凹部が形成され、
前記１つの側面から一部分を突出させて前記内面に圧接する弾性材料からなる球状部材が該凹部に嵌合されたことを特徴とするレバーハンドル軸嵌合構造。
【請求項５】
前記凹部が、隣接する２つの側面に設けられ、
該２つの凹部のそれぞれに前記球状部材が嵌合されたことを特徴とする請求項４記載のレバーハンドル軸嵌合構造。
【請求項６】
前記角軸の軸線方向に複数の前記凹部が設けられ、
該複数の凹部のそれぞれに前記球状部材が嵌合されたことを特徴とする請求項４又は５記載のレバーハンドル軸嵌合構造。
【発明の詳細な説明】
【技術分野】
【０００１】
本発明は、錠箱に組み込まれたカム部材の角穴に、角軸をがたつきなく嵌合するレバーハンドル軸嵌合構造に関する。
【背景技術】
【０００２】
扉に設けられる施錠装置には、その作動力がレバーハンドルの回転操作によって入力されるものがある。この施錠装置は、図１１に示すように、扉内に内蔵される錠箱１と、錠箱１に固定されるとともに、扉の木口に固定され錠箱１に内蔵されたデットボルト３やラッチボルト５を進退させる矩形穴を有したプレート部材７と、錠箱１に回転自在に設けられ回転力の入力によってラッチボルト５を進退させるカム部材９と、カム部材９の角穴９ａに相対回転不能に挿入される角軸１１と、角軸１１の両端に固定されるレバーハンドル１３，１５とからなる。なお、図中、１７はハンドル止めねじ、１９はレバーハンドル１３，１５の基端の周囲に位置し扉面に配置される略ドーナツ形状のエスカチオンを表す。
【０００３】
この施錠装置２０は、錠箱１とプレート部材７が不図示の扉に固定された後、扉の一方の面から基端にレバーハンドル１３が固定された角軸１１の先端がカム部材９の角穴９ａに挿通され、扉の他方の面に貫通した角軸１１の先端にレバーハンドル１５が固定される。そして、レバーハンドル１３又は１５が回転操作されることにより、角軸１１に相対回転不能に嵌合したカム部材９が回転し、錠箱１内の進退機構を作動させてラッチボルトを進退させる。
【０００４】
ところで、カム部材９に形成される角穴９ａと、レバーハンドル１３，１５を支承する角軸１１との嵌合精度は、高精度となる程手間や高度な技術が要求される。また、錠箱メーカとレバーハンドルメーカとの分業により、汎用性を持たせるために嵌合部分の公差が大きくなる傾向もある。このため、角軸１１と角穴９ａにはがたつきが生じ易く、ユーザによっては操作に違和感を持つこともある。
【０００５】
このような不具合に対し、レバーハンドル軸嵌合構造では、従来より角穴と角軸とのがたつきを防止する種々の対策が採られてきた。例えば、角穴に対応する角軸の部位に凹溝を形成し、この凹溝に可撓性を有する板状片を挿入しておき、ハンドル止めねじをねじ込むことにより、板状片を撓めさせ、撓んだ板状片を角軸と角穴とに押圧させてがたつきを消去するものがあった。また、角穴に対応する角軸の部位に取付溝を形成し、この取付溝内に山形部を有する板ばねを固定手段によって固定することで、角軸を角穴へ差し込んだ際に、板ばねを弾性変形させ、がたつきを無くすものもあった。
【特許文献１】実公昭５８−３２５１６号公報
【発明の開示】
【発明が解決しようとする課題】
【０００６】
しかしながら、上記したハンドル止めねじをねじ込むことにより、板状片を撓めてがたつきを消去する構造では、ハンドル止めねじをねじ込むまでは板状片を角軸に保持させておくことができず、角軸挿入時に板状片が位置ずれしたり、落下するなど作業性の悪い問題があった。また、角軸に取付溝を形成し、取付溝に板ばねを固定手段によって固定する構造では、板ばねを固定するための固定手段が別途に必要となり、構造が複雑になるとともに、部品点数も増え、しかも、固定手段を用いた煩雑な角軸組立て工程（固定手段の圧入或いは加締め工程）が発生した。
【０００７】
本発明は上記状況に鑑みてなされたもので、簡単な構造で、部品点数を増やすことなく、容易に角軸組立てが行え、しかも、角軸の挿入のみによってがたつきが低減できるレバーハンドル軸嵌合構造を提供することにある。
【課題を解決するための手段】
【０００８】
次に、上記の課題を解決するための手段を、実施の形態に対応する図面を参照して説明する。
本発明の請求項１記載のレバーハンドル軸嵌合構造は、端部にレバーハンドル２１，２３の取り付けられる角軸２５と、錠箱に回動自在に設けられた角穴２９を有するカム部材３１とのレバーハンドル軸嵌合構造であって、
前記角軸２５の軸線方向に沿う少なくとも２つの側面２５ａ，２５ｂに、前記軸線３５に沿う方向の凹溝３７，３７が前記角軸２５の長手方向に亘って形成され、
略Ｕ字状に折り曲げた線状バネ部材３３の両脚部３９ａ，３９ｂが２つの前記凹溝３７，３７に嵌入されるとともに、前記角穴２９の内面２９ａに対面する該線状バネ部材３３の部位に、前記側面２５ａ，２５ｂから突出して前記内面２９ａに圧接する湾曲部４１が形成されたことを特徴とする。
【０００９】
このレバーハンドル軸嵌合構造では、両脚部３９ａ，３９ｂが凹溝３７，３７に嵌入されると、この両脚部３９ａ，３９ｂによって角軸２５が挟持され、線状バネ部材３３が両脚部３９ａ，３９ｂを介して角軸２５に保持される。したがって、角軸２５は、線状バネ部材３３を保持させた状態で、角穴２９への挿入が可能となる。そして、線状バネ部材３３を保持した角軸２５が挿入されれば、湾曲部４１が弾性変形され、その弾性復元力によって角穴２９に対する角軸２５のがたつきが規制される。
【００１０】
請求項２記載のレバーハンドル軸嵌合構造は、前記湾曲部４１が、前記線状バネ部材３３の両脚部３９ａ，３９ｂに設けられたことを特徴とする。
【００１１】
このレバーハンドル軸嵌合構造では、両脚部３９ａ，３９ｂの一方に湾曲部４１が設けられる場合に比べ、弾性復元力の発生箇所をを２箇所で構成でき、角穴２９の対向する各内面２９ａ，２９ａに圧接することとなり、また、弾性復元力が２つの湾曲部４１，４１によって分担され、湾曲部４１，４１にへたりが生じ難くなる。
【００１２】
請求項３記載のレバーハンドル軸嵌合構造は、前記凹溝３７が、前記角軸２５の軸線３５に沿う平行な一対の側面２５ａ，２５ｂに設けられ、かつ前記軸線３５を点対称に片側の隅部６１，６１に近接して片寄せられ配置されたことを特徴とする。
【００１３】
このレバーハンドル軸嵌合構造では、平行な一対の側面２５ａ，２５ｂに設けられた凹溝３７，３７同士が、角軸２５の軸線３５を点対称に片側の隅部６１，６１に近接して片寄せられて配置されることで、それぞれの凹溝３７，３７に嵌入された線状バネ部材３３によって生じる弾性復元力が、角軸２５を一方向に回転させるモーメントとして作用するようになる。これにより、角穴２９に対して角軸２５が軸線回りの回転方向で圧接されることとなる。
【００１４】
請求項４記載のレバーハンドル軸嵌合構造は、端部にレバーハンドル２１，２３の取り付けられる角軸２５と、錠箱に回動自在に設けられた角穴２９を有するカム部材３１とのレバーハンドル軸嵌合構造であって、
前記角軸２５の軸線方向に沿う少なくとも１つの側面２５ａの前記角穴２９の内面２９ａに対面する部位に凹部７１が形成され、
前記１つの側面２９ａから一部分を突出させて前記内面２９ａに圧接する弾性材料からなる球状部材７３が該凹部７１に嵌合されたことを特徴とする。
【００１５】
このレバーハンドル軸嵌合構造では、角軸２５の側面２５ａに形成される小さな凹部７１と、この凹部７１に嵌合される小さな球状部材７３のみによってがたつきが規制され、加工量の少ない極めて簡素な構造で、球状部材７３の保持と、球状部材７３の弾性復元力による角軸２５のがたつき規制とが可能となる。
【００１６】
請求項５記載のレバーハンドル軸嵌合構造は、前記凹部７１が、隣接する２つの側面２５ａ，２５ｃに設けられ、
該２つの凹部７１，７１のそれぞれに前記球状部材７３，７３が嵌合されたことを特徴とする。
【００１７】
このレバーハンドル軸嵌合構造では、角軸２５の隣接する２つの側面２５ａ、２５ｃが、角穴２９の隣接する２つの内面２９ａに圧接され、軸線３５に直交する水平・垂直の二方向で角軸２５が角穴２９の内面２９ａに圧接される。
【００１８】
請求項６記載のレバーハンドル軸嵌合構造は、前記角軸２５の軸線方向に複数の前記凹部７１が設けられ、
該複数の凹部７１のそれぞれに前記球状部材７３が嵌合されたことを特徴とする。
【００１９】
このレバーハンドル軸嵌合構造では、角軸２５が軸線方向の複数箇所で角穴２９の内面２９ａに圧接され、球状部材７３が軸線方向の一箇所で内面２９ａに圧接する場合に生じる球状部材７３を支点とする揺動が無くなる。
【発明の効果】
【００２０】
本発明に係る請求項１記載のレバーハンドル軸嵌合構造によれば、角軸の少なくとも２つの側面に凹溝を形成し、略Ｕ字状に折り曲げた線状バネ部材の両脚部をこの凹溝に嵌入するとともに、凹溝から突出して角穴の内面に圧接する湾曲部を線状バネ部材に形成したので、凹溝に嵌入させた両脚部で角軸を挟持して線状バネ部材を角軸に保持させることができ、この状態で角軸を角穴に挿入することで、湾曲部を弾性変形させ、その弾性復元力によって角穴に対する角軸のがたつきを防止することができる。この結果、他部材を用いずに、簡素な構造で、しかも、角軸を挿入するのみの容易な作業で、角軸と角穴とのがたつきを抑えた状態で嵌合させることができる。
【００２１】
請求項２記載のレバーハンドル軸嵌合構造によれば、湾曲部を線状バネ部材の両脚部に設けたので、一つの湾曲部が設けられる場合に比べ、弾性復元力の発生箇所をを２箇所で構成でき、角穴の対向する各内面に圧接することとなり、また、湾曲部にへたりが生じ難く、弾性復元力を長期間に渡って保つことができ、がたつきの無い嵌合構造を長期間維持することができる。
【００２２】
請求項３記載のレバーハンドル軸嵌合構造によれば、凹溝を平行な一対の側面に設け、かつ軸線を点対称に片側の隅部に近接して片寄せ配置したので、角穴に対して角軸を軸線回りの回転方向で圧接させることができ、角軸の回転方向に圧接力を作用させて、回転方向のがたつきを効果的に抑止することができる。
【００２３】
請求項４記載のレバーハンドル軸嵌合構造によれば、角軸の少なくとも１つの側面の角穴対面部位に凹部を形成し、この凹部に、角穴の内面に圧接する球状部材を嵌合したので、小さな凹部の加工と、この凹部に嵌合させる小さな球状部材のみによってがたつきを無くすことができ、加工量の少ない極めて簡素な構造で、しかも、角軸を角穴に挿入するのみで、球状部材を弾性変形させ、その弾性復元力によって角穴に対する角軸のがたつきを防止することができる。この結果、他部材を用いずに、簡素な構造で、しかも、角軸を挿入するのみの容易な作業で、角軸と角穴とのがたつきを抑えた状態で嵌合させることができる。
【００２４】
請求項５記載のレバーハンドル軸嵌合構造によれば、隣接する２つの側面に凹溝を設け、それぞれの凹部に球状部材を嵌合したので、角軸の隣接する２つの側面が、角穴の隣接する２つの内面に圧接され、軸線に直交する水平・垂直の二方向で角軸のがたつきをより確実に抑えることができる。
【００２５】
請求項６記載のレバーハンドル軸嵌合構造によれば、角軸の軸線方向に複数の凹部を設け、それぞれの凹部に球状部材を嵌合したので、角軸が軸線方向の複数箇所で角穴の内面に圧接することとなり、球状部材が一箇所で圧接する場合に生じる球状部材を支点とする揺動を無くすことができ、がたつきをより確実に抑えることができる。
【発明を実施するための最良の形態】
【００２６】
以下、本発明に係るレバーハンドル軸嵌合構造の好適な実施の形態を図面を参照して詳細に説明する。
図１は本発明に係るレバーハンドル軸嵌合構造の角軸一端側の斜視図、図２は本発明に係るレバーハンドル軸嵌合構造の角軸他端側の斜視図、図３は角軸の嵌合されたカム部材の断面図、図４は本発明に係るレバーハンドル軸嵌合構造の軸線に沿う方向の断面図、図５は線状バネ部材の異なる配設位置を（ａ）〜（ｃ）で示した変形例の断面図、図６は片脚部に湾曲部が形成された線状バネ部材の平面図である。
本実施の形態によるレバーハンドル軸嵌合構造は、両端にレバーハンドル２１，２３の取り付けられる角軸２５と、錠箱１（図１１参照）に回動自在に設けられた角穴２９を有するカム部材３１と、角軸２５に装着される線状バネ部材３３とを主要な部材に構成される。なお、カム部材３１は、本実施の形態では、その外形状の詳細な形状については述べず、簡略化した軸形状として図示している。
【００２７】
角軸２５には軸線方向に沿う少なくとも２つの側面２５ａ，２５ｂに、軸線３５に沿う方向の２つの凹溝３７，３７が長手方向に亘って連続形成されている。本実施の形態において、２つの側面は、軸線３５を挟む平行な側面２５ａ，２５ｂとなっている。
【００２８】
角軸２５の凹溝３７，３７には、略Ｕ字状に折り曲げた線状バネ部材３３の両脚部３９ａ，３９ｂが嵌入される。線状バネ部材３３は、バネ鋼やピアノ線を素材とし、全長が角軸２５と略同一長さで形成されている。線状バネ部材３３の角穴２９の内面２９ａに対面する部位には、側面２５ａ，２５ｂから突出して角穴２９の内面２９ａに圧接する湾曲部４１が形成されている。本実施の形態では、湾曲部４１が線状バネ部材３３の両脚部３９ａ，３９ｂにそれぞれ設けられている。
【００２９】
角軸２５の基端（図１の左端）には、凹溝３７，３７の形成される２つの側面２５ａ，２５ｂに挟まれる他の側面２５ｃに、圧入孔４３が穿設される。一方のレバーハンドル２１には角軸２５の基端を嵌入する取付穴４４の穿設された取付部４７が形成され、取付部４７には取付穴４４へ貫通する固定孔４９が穿設されている。また、角軸２５の先端（図１の右端）には、凹溝３７，３７の形成される２つの側面２５ａ，２５ｂに挟まれる他の側面２５ｃに、ねじ孔５１が穿設される。他方のレバーハンドル２３には角軸２５の先端を嵌入する取付穴４５の穿設された取付部５３が形成され、取付部５３には取付穴４５へ貫通するねじ挿入孔５５が穿設されている。
【００３０】
上記のレバーハンドル２１，２３を錠箱１へ組付けるには、先ず、角軸２５の凹溝３７，３７に、線状バネ部材３３の両脚部３９ａ，３９ｂを嵌合する。線状バネ部材３３は、両端（両脚部３９ａ，３９ｂの各先端）が、角軸２５の基端側となるように装着する。これにより、線状バネ部材３３は、両脚部３９ａ，３９ｂで角軸２５を挟持し、角軸２５に保持された状態となる。
【００３１】
次いで、角軸２５の基端を、一方のレバーハンドル２１の取付穴４４に挿入する。角軸２５の挿入されたレバーハンドル２１の取付部４７の固定孔４９には、固定ピン５７が圧入され、レバーハンドル２１と角軸２５とが固定される。
この状態で、扉に内蔵された錠箱１のカム部材３１の角穴２９へ角軸２５の先端が挿入される。角軸２５が所定の位置まで挿入されると、湾曲部４１が弾性変形して角穴２９内へ圧入される。圧入された湾曲部４１は、図３に示すように、弾性復元力によって角穴２９の内面２９ａに圧接される。
【００３２】
次いで、カム部材３１を貫通して、扉の他方の面から突出した角軸２５の先端に、他方のレバーハンドル２３の取付穴４５が挿入される。レバーハンドル２３は、取付部５３の取付穴４５に挿入されたハンドル止めねじ５９が、角軸２５のねじ孔５１に螺合されることで、角軸２５の先端に固定される。これにより、図４に示すように、カム部材３１を貫通する角軸２５の両端にレバーハンドル２１，２３が固定され、角軸２５の軸線方向の移動がレバーハンドル２１，２３によって規制されて、レバーハンドル２１，２３が錠箱１へ取り付け完了する。
【００３３】
このレバーハンドル軸嵌合構造では、両脚部３９ａ，３９ｂが凹溝３７，３７に嵌入されると、この両脚部３９ａ，３９ｂによって角軸２５が挟持され、線状バネ部材３３が両脚部３９ａ，３９ｂを介して角軸２５に保持される。線状バネ部材３３は、Ｕ字状に曲げられているので、曲げ部３３ａを先端に押込めば、曲げ部３３ａが角軸２５の先端面に当接し、押込みによる反力を角穴２９から受けて脱落することがない。つまり、別途に固定手段を備えずに角軸２５への確実な保持が可能となる。これにより、角軸２５は、線状バネ部材３３を保持させた状態で、角穴２９への挿入が可能となる。そして、線状バネ部材３３を保持した角軸２５が挿入されれば、湾曲部４１が弾性変形され、その弾性復元力によって角穴２９に対する角軸２５のがたつきが規制される。
【００３４】
したがって、このレバーハンドル軸嵌合構造によれば、角軸２５の少なくとも２つの側面２５ａ，２５ｂに凹溝３７，３７を形成し、略Ｕ字状に折り曲げた線状バネ部材３３の両脚部３９ａ，３９ｂをこの凹溝３７，３７に嵌入するとともに、凹溝３７，３７から突出して角穴２９の内面２９ａに圧接する湾曲部４１を線状バネ部材３３に形成したので、凹溝３７，３７に嵌入させた両脚部３９ａ，３９ｂで角軸２５を挟持して線状バネ部材３３を角軸２５に保持させることができ、この状態で角軸２５を角穴２９に挿入することで、湾曲部４１を弾性変形させ、その弾性復元力によって角穴２９に対する角軸２５のがたつきを防止することができる。この結果、他部材を用いずに、簡素な構造で、しかも、角軸２５を挿入するのみの容易な作業で、角軸２５をがたつきを抑えて角穴２９に嵌合させることができる。
【００３５】
また、湾曲部４１が、線状バネ部材３３の両脚部３９ａ，３９ｂに設けられているので、一つの湾曲部４１が設けられる場合に比べ、へたりが生じ難く、弾性復元力を長期間に渡って保つことができ、がたつきの無い嵌合構造を長期間維持することができる。
【００３６】
なお、上記の実施の形態では、平行な２つの側面２５ａ，２５ｂに凹溝３７，３７を設けた場合を例に説明したが、本発明に係るレバーハンドル軸嵌合構造は、図５（ａ）に示すように、平行な二対の側面２５ａ，２５ｂと、側面２５ｃ，２５ｄに凹溝３７，３７，３７，３７を形成し、それぞれに線状バネ部材３３，３３を装着してもよい。
【００３７】
また、図５（ｂ）に示すように、平行な２つの側面２５ａ，２５ｂと、この側面２５ａ，２５ｂに挟まれる一つの側面２５ｃとに凹溝３７，３７，３７を形成し、三叉の線状バネ部材３３Ａを挿入するものであってもよい。
【００３８】
さらに、図５（ｃ）に示すように、凹溝３７，３７が、角軸２５の軸線に沿う平行な一対の側面２５ａ，２５ｂに設けられ、かつ軸線３５を点対称に片側の隅部６１，６１（角軸２５の稜線部分）に近接して片寄せられ配置されてもよい。このような構成によれば、平行な一対の側面２５ａ，２５ｂに設けられた凹溝３７，３７同士が、角軸２５の軸線３５を点対称に片側の隅部６１，６１に近接して片寄せられて配置されることで、それぞれの凹溝３７，３７に嵌入された線状バネ部材３３によって生じる弾性復元力が、角軸２５を一方向（図例では反時計回り方向）に回転させるモーメントとして作用するようになる。これにより、角穴２９に対して角軸２５が軸線回りの回転方向で圧接されることとなり、回転方向のがたつきを効果的に抑止することができる。
【００３９】
また、上記の実施の形態では、線状バネ部材３３の両脚部３９ａ，３９ｂに湾曲部４１を設けたが、線状バネ部材３３は、図６に示すように、片側の脚部３９ａのみに湾曲部４１が設けられても良い。このような構成によれば、角軸２５の角穴２９への圧入力を小さくして、取り付け作業性を良好にすることができる。
【００４０】
次に、本発明に係るレバーハンドル軸嵌合構造の第２の実施の形態を説明する。
図７は本発明に係るレバーハンドル軸嵌合構造の第２の実施の形態を表す分解斜視図、図８は第２の実施の形態に係るレバーハンドル軸嵌合構造の軸線に沿う方向の断面図、図９は図８に示した角軸の嵌合されたカム部材の断面図、図１０は球状部材の異なる配設位置を示した変形例の断面図である。
なお、上述した第１の実施の形態における図１〜図４に示した部材と同一の部材には同一の符号を付し、重複する説明は省略するものとする。
この第２の実施の形態によるレバーハンドル軸嵌合構造は、角軸２５の軸線方向に沿う少なくとも１つの側面２５ａの角穴２９の内面２９ａに対面する部位に、凹部７１が形成され、側面２５ａから一部分を突出させて内面２９ａに圧接する弾性材料からなる球状部材７３が凹部７１に嵌合されている。球状部材７３は、略真球形状、若しくは楕円球など真球に近い形状とされ、樹脂、例えばやや硬質な合成樹脂素材や、金属などを用いることができる。また、球状部材７３は、凹部７１に接着剤によって嵌着させる他、凹部７１の円形開口の直径を、球状部材７３の直径より若干小さく形成し、球状部材７３を凹部７１に圧入することで、脱落を規制して凹部７１に保持させるようにしてもよい。
【００４１】
このレバーハンドル軸嵌合構造では、図８に示すように、カム部材３１の角穴２９へ角軸２５の先端が挿入され、角軸２５が所定の位置まで挿入されると、図９に示すように、球状部材７３が弾性変形し、弾性復元力によって角穴２９の内面２９ａに圧接される。これにより、角軸２５の側面に形成される小さな凹部７１と、この凹部７１に嵌合される小さな球状部材７３のみによってがたつきが規制され、加工量の少ない極めて簡素な構造で、球状部材７３の保持と、球状部材７３の弾性復元力による角軸２５のがたつき規制とが可能となる。
【００４２】
したがって、このレバーハンドル軸嵌合構造によれば、角軸２５の少なくとも１つの側面２５ａの角穴対面部位に凹部７１を形成し、この凹部７１に、角穴２９の内面２９ａに圧接する球状部材７３を嵌合したので、小さな凹部７１の加工と、この凹部７１に嵌合させる小さな球状部材７３のみによってがたつきを無くすことができ、加工量の少ない極めて簡素な構造で、しかも、角軸２５を角穴２９に挿入するのみで、球状部材７３を弾性変形させ、その弾性復元力によって角穴２９に対する角軸２５のがたつきを防止することができる。この結果、他部材を用いずに、簡素な構造で、しかも、角軸２５を挿入するのみの容易な作業で、角軸２５をがたつきを抑えて角穴２９に嵌合することができる。
【００４３】
なお、上記の実施の形態では、凹部７１が一つの側面２５ａに設けられる場合を例に説明したが、本発明に係るレバーハンドル軸嵌合構造は、図１０に示すように、凹部７１が隣接する２つの側面２５ａ，２５ｃに設けられ、この２つの凹部７１，７１のそれぞれに球状部材７３，７３が嵌合されてもよい。このような構成によれば、角軸２５の隣接する２つの側面２５ａ，２５ｃが、角穴２９の隣接する２つの内面２９ａ，２９ａに圧接され、軸線３５に直交する水平・垂直の二方向で角軸２５のがたつきを確実に抑えることができる。
【００４４】
また、図示は省略するが、本発明に係るレバーハンドル軸嵌合構造は、角軸の軸線方向に、上記凹部７１と同等の凹部が複数設けられ、この複数の凹部のそれぞれに球状部材が嵌合される構造であってもよい。このような構成によれば、角軸が軸線方向の複数箇所で角穴の内面に圧接することとなり、球状部材が一箇所で圧接する場合に生じる球状部材を支点とする揺動を無くすことができ、がたつきをより確実に抑えることができる。特に、角軸２５の１つの側面２５ａ（２５ｂ，２５ｃ，２５ｄ）において、複数の凹部が、軸線に沿って直列ではなく、やや千鳥配置とすることで、これら凹部に嵌合される球状部材が、角穴の内面に対して軸線に平行に沿った圧接位置とならず、軸線に対して斜めに偏芯した圧接位置となり、角穴と角軸とのがたつきがより確実に抑えられることとなる。
【図面の簡単な説明】
【００４５】
【図１】本発明に係るレバーハンドル軸嵌合構造の角軸一端側の斜視図である。
【図２】本発明に係るレバーハンドル軸嵌合構造の角軸他端側の斜視図である。
【図３】角軸の嵌合されたカム部材の断面図である。
【図４】本発明に係るレバーハンドル軸嵌合構造の軸線に沿う方向の断面図である。
【図５】線状バネ部材の異なる配設位置を（ａ）〜（ｃ）で示した変形例の断面図である。
【図６】片脚部に湾曲部が形成された線状バネ部材の平面図である。
【図７】本発明に係るレバーハンドル軸嵌合構造の第２の実施の形態を表す分解斜視図である。
【図８】第２の実施の形態に係るレバーハンドル軸嵌合構造の軸線に沿う方向の断面図である。
【図９】図８に示した角軸の嵌合されたカム部材の断面図である。
【図１０】球状部材の異なる配設位を示した変形例の断面図である。
【図１１】従来のレバーハンドル軸嵌合構造の分解斜視図である。
【符号の説明】
【００４６】
２１，２３…レバーハンドル
２５…角軸
２５ａ，２５ｂ…２つの側面
２９…角穴
２９ａ…角穴の内面
３１…カム部材
３３…線状バネ部材
３５…軸線
３７…凹溝
３９ａ，３９ｂ…両脚部
４１…湾曲部
６１…隅部
７１…凹部
７３…球状部材
【図１】
2006070620.tif 000003
【図２】
2006070620.tif 000004
【図３】
2006070620.tif 000005
【図４】
2006070620.tif 000006
【図５】
2006070620.tif 000007
【図６】
2006070620.tif 000008
【図７】
2006070620.tif 000009
【図８】
2006070620.tif 000010
【図９】
2006070620.tif 000011
【図１０】
2006070620.tif 000012
【図１１】
2006070620.tif 000013